(57)【特許請求の範囲】
【請求項１】
第１のデジタル加入者線ＤＳＬポート（ＤＭ１）上、第２のＤＳＬポート（ＤＭ２）上、および第３のＤＳＬポート（ＤＭ３）上の第１のデジタル加入者線ＤＳＬ通信信号を第１のデジタル加入者線ＤＳＬ伝送線路（Ｐ１）上、および第２のＤＳＬ伝送線路（Ｐ２）上の第２のデジタル加入者線ＤＳＬ通信信号に変換するように構成されたデジタル加入者線ＤＳＬファントムモード信号組み合わせデバイスであって、
前記第１のＤＳＬポート（ＤＭ１）および前記第１のＤＳＬ伝送線路（Ｐ１）が電気的に結合された、直列結合された第１のコイル（ＬＬ１１）および第２のコイル（ＬＬ１２）の第１のペア（ＬＬ１１、ＬＬ１２）と、
前記第２のＤＳＬポート（ＤＭ２）および前記第２のＤＳＬ伝送線路（Ｐ２）が電気的に結合された、直列結合された第１のコイル（ＬＬ２１）および第２のコイル（ＬＬ２２）の第２のペア（ＬＬ２１、ＬＬ２２）と
を備えること、
前記第３のＤＳＬポート（ＤＭ３）が、前記第１のペアの第１のコイル（ＬＬ１１）と第２のコイル（ＬＬ１２）の間の第１の結合手段（ＣＰ３１）、および前記第２のペアの第１のコイル（ＬＬ２１）と第２のコイル（ＬＬ２２）の間の第２の結合手段（ＣＰ３２）に結合されること、
前記ＤＳＬファントムモード信号組み合わせデバイスが、通信交換機の線路終端ＬＴボードから遠隔に配置され及び前記第１のＤＳＬポート（ＤＭ１）、前記第２のＤＳＬポート（ＤＭ２）、前記第３のＤＳＬポート（ＤＭ３）、前記第１のＤＳＬ伝送線路（Ｐ１）、および前記第２のＤＳＬ伝送線路（Ｐ２）にそれぞれが関連付けられた少なくとも５つの端子を備えたファントム注入モジュール（ＰＢｏｘ）に組み込まれること、および、
前記第１のＤＳＬポート（ＤＭ１）、前記第２のＤＳＬポート（ＤＭ２）、および前記第３のＤＳＬポート（ＤＭ３）が、柔軟に、前記線路終端ＬＴボードの別々のポートに接続されること
を特徴とする、ＤＳＬファントムモード信号組み合わせデバイス。
【請求項２】
前記ファントム注入モジュール（ＰＢｏｘ）が、通信交換機の主配線盤ＭＤＦに関連付けられること、および
前記第１のＤＳＬ伝送線路（Ｐ１）、および前記第２のＤＳＬ伝送線路（Ｐ２）が、柔軟に、前記主配線盤ＭＤＦの端子に接続されること
を特徴とする、請求項１に記載のＤＳＬファントムモード信号組み合わせデバイス。
【請求項３】
前記第１のペア（ＬＬ１１、ＬＬ１２）の第１の直列結合されたコイル（ＬＬ１１）および第２の直列結合されたコイル（ＬＬ１２）が、磁気的に結合され、
前記第１のペア（ＬＬ１１、ＬＬ１２）の第１のコイル（ＬＬ１１）の第１の端子（ＴＬ１１）が、前記第１のＤＳＬ伝送線路（Ｐ１）の第１の導線に接続され、
前記第１のペア（ＬＬ１１、ＬＬ１２）の第２のコイル（ＬＬ１２）の第１の端子（ＴＬ１２）が、前記第１のＤＳＬ伝送線路（Ｐ１）の第２の導線に接続され、さらに
前記第１の結合手段（ＣＰ３１）が、前記第３のＤＳＬポート（ＤＭ３）の第１の導線、前記第１のペア（ＬＬ１１、ＬＬ１２）の第１のコイル（ＬＬ１１）の第２の端子、および前記第１のペア（ＬＬ１１、ＬＬ１２）の第２のコイル（ＬＬ１２）の第２の端子に接続されること、および
前記第２のペア（ＬＬ２１、ＬＬ２２）の第１の直列結合されたコイル（ＬＬ２１）および第２の直列結合されたコイル（ＬＬ２２）が、磁気的に結合され、
前記第２のペア（ＬＬ２１、ＬＬ２２）の第１のコイル（ＬＬ２１）の第１の端子（ＴＬ２１）が、前記第２のＤＳＬ伝送線路（Ｐ２）の第１の導線に接続され、
前記第２のペア（ＬＬ２１、ＬＬ２２）の第２のコイル（ＬＬ２２）の第１の端子（ＴＬ２２）が、前記第２のＤＳＬ伝送線路（Ｐ２）の第２の導線に接続され、さらに
前記第２の結合手段（ＣＰ３２）が、前記第３のＤＳＬポート（ＤＭ３）の第２の導線、前記第２のペア（ＬＬ２１、ＬＬ２２）の第１のコイル（ＬＬ２１）の第２の端子、および前記第２のペア（ＬＬ２１、ＬＬ２２）の第２のコイル（ＬＬ２２）の第２の端子に接続されること
を特徴とする、請求項１に記載のＤＳＬファントムモード信号組み合わせデバイス。
【請求項４】
前記ＤＳＬファントムモード信号組み合わせデバイスが、
磁気的に結合されている直列結合された第３の（ＬＴ１１）コイルおよび第４の（ＬＴ１２）コイルの第３のペア（ＬＴ１１、ＬＴ１２）であって、前記第３のペア（ＬＴ１１、ＬＴ１２）の第３のコイル（ＬＴ１１）の第１の端子（ＴＴ１１）が、前記第１のＤＳＬポート（ＤＭ１）の第１の導線に接続され、前記第３のペア（ＬＴ１１、ＬＴ１２）の第４のコイル（ＬＴ１２）の第１の端子（ＴＴ１２）が、前記第１のＤＳＬポート（ＤＭ１）の第２の導線に接続され、前記第３のペア（ＬＴ１１、ＬＴ１２）の第３のコイル（ＬＴ１１）の第２の端子が、第３の結合手段（ＣＴ３１）を介して前記第３のペア（ＬＴ１１、ＬＴ１２）の第４のコイル（ＬＴ１２）の第２の端子に電気的に結合される、第３のコイル（ＬＴ１１）および第４のコイル（ＬＴ１２）の第３のペア（ＬＴ１１、ＬＴ１２）と、
磁気的に結合されている直列結合された第３の（ＬＴ２１）コイルおよび第４の（ＬＴ２２）コイルの第４のペア（ＬＴ２１、ＬＴ２２）であって、前記第４のペア（ＬＴ２１、ＬＴ２２）の第３のコイル（ＬＴ２１）の第１の端子（ＴＴ２１）が、前記第２のＤＳＬポート（ＤＭ２）の第１の導線に接続され、前記第４のペア（ＬＴ２１、ＬＴ２２）の第４のコイル（ＬＴ２２）の第１の端子（ＴＴ２２）が、前記第２のＤＳＬポート（ＤＭ２）の第２の導線に接続され、前記第４のペア（ＬＴ２１、ＬＴ２２）の第３のコイル（ＬＴ２１）の第２の端子が、第４の結合手段（ＣＴ３２）を介して前記第４のペア（ＬＴ２１、ＬＴ２２）の第４のコイル（ＬＴ２２）の第２の端子に電気的に結合される、第３のコイル（ＬＴ２１）および第４のコイル（ＬＴ２２）の第４のペア（ＬＴ２１、ＬＴ２２）と
をさらに備え、
前記第３のペア（ＬＴ１１、ＬＴ１２）の第３のコイル（ＬＴ１１）および第４のコイル（ＬＴ１２）が、前記第１のペア（ＬＬ１１、ＬＬ１２）の第１のコイル（ＬＬ１１）および第２のコイル（ＬＬ１２）に磁気的に結合され、前記第４のペア（ＬＴ２１、ＬＴ２２）の第３のコイル（ＬＴ２１）および第４のコイル（ＬＴ２２）が、前記第２のペア（ＬＬ２１、ＬＬ２２）の第１のコイル（ＬＬ２１）および第２のコイル（ＬＬ２２）に磁気的に結合されること
を特徴とする、請求項３に記載のＤＳＬファントムモード信号組み合わせデバイス。
【請求項５】
前記第１のペア（ＬＬ１１、ＬＬ１２）の第１のコイル（ＬＬ１１）の第１の端子（ＴＬ１１）が、前記第１のＤＳＬポート（ＤＭ１）の第１の導線に電気的に結合され、前記第１のペア（ＬＬ１１、ＬＬ１２）の第２のコイル（ＬＬ１２）の第１の端子（ＴＬ１２）が、前記第１のＤＳＬポート（ＤＭ１）の第２の導線に電気的に結合されること、および
前記第２のペア（ＬＬ２１、ＬＬ２２）の第１のコイル（ＬＬ２１）の第１の端子（ＴＬ２１）が、前記第２のＤＳＬポート（ＤＭ２）の第１の導線に電気的に結合され、前記第２のペア（ＬＬ２１、ＬＬ２２）の第２のコイル（ＬＬ２２）の第１の端子（ＴＬ２２）が、前記第２のＤＳＬポート（ＤＭ２）の第２の導線に電気的に結合されること
を特徴とする、請求項３に記載のＤＳＬファントムモード信号組み合わせデバイス。
【請求項６】
前記第１のペア（ＬＬ１１、ＬＬ１２）の第１のコイル（ＬＬ１１）の第１の端子（ＴＬ１１）が、第１のフィルタコイル（ＬＦ１１）を介して前記第１のＤＳＬポート（ＤＭ１）の第１の導線に電気的に結合され、前記第１のペア（ＬＬ１１、ＬＬ１２）の第２のコイル（ＬＬ１２）の第１の端子（ＴＬ１２）が、第２のフィルタコイル（ＬＦ１２）を介して前記第１のＤＳＬポート（ＤＭ１）の第２の導線に電気的に結合され、前記第１のフィルタコイル（ＬＦ１１）と前記第２のフィルタコイル（ＬＦ１２）が磁気的に結合されること、および
前記第２のペア（ＬＬ２１、ＬＬ２２）の第１のコイル（ＬＬ２１）の第１の端子（ＴＬ２１）が、第３のフィルタコイル（ＬＦ２１）を介して前記第２のＤＳＬポート（ＤＭ２）の第１の導線に電気的に結合され、前記第２のペア（ＬＬ２１、ＬＬ２２）の第２のコイル（ＬＬ２２）の第１の端子（ＴＬ２２）が、第４のフィルタコイル（ＬＦ２２）を介して前記第２のＤＳＬポート（ＤＭ２）の第２の導線に電気的に結合され、前記第３のフィルタコイル（ＬＦ２１）と前記第４のフィルタコイル（ＬＦ２２）が磁気的に結合されること
を特徴とする、請求項５に記載のＤＳＬファントムモード信号組み合わせデバイス。
【請求項７】
前記ＤＳＬファントムモード信号組み合わせデバイスが、
磁気的に結合された第５の（ＬＰ１１）コイルおよび第６の（ＬＰ１２）コイルの第５のペア（ＬＰ１１、ＬＰ１２）であって、前記第５のペア（ＬＰ１１、ＬＰ１２）の前記第５のコイル（ＬＰ１１）が、第１のＰＯＴＳ線路（ＰＯＴＳ１）の第１の導線に接続された第１の端子、および前記第１のペア（ＬＬ１１、ＬＬ１２）の第１のコイル（ＬＬ１１）の前記第１の端子（ＴＬ１１）に接続された第２の端子を有し、前記第５のペア（ＬＰ１１、ＬＰ１２）の前記第６のコイル（ＬＰ１２）が、前記第１のＰＯＴＳ線路（ＰＯＴＳ１）の第２の導線に接続された第１の端子、および前記第１のペア（ＬＬ１１、ＬＬ１２）の第２のコイル（ＬＬ１２）の前記第１の端子（ＴＬ１２）に接続された第２の端子を有する、第５のコイル（ＬＰ１１）および第６のコイル（ＬＰ１２）の第５のペア（ＬＰ１１、ＬＰ１２）と、
磁気的に結合された第５の（ＬＰ２１）コイルおよび第６の（ＬＰ２２）コイルの第６のペア（ＬＰ２１、ＬＰ２２）であって、前記第６のペア（ＬＰ２１、ＬＰ２２）の前記第５のコイル（ＬＰ２１）が、第２のＰＯＴＳ線路（ＰＯＴＳ２）の第１の導線に接続された第１の端子、および前記第２のペア（ＬＬ２１、ＬＬ２２）の第１のコイル（ＬＬ２１）の前記第１の端子（ＴＬ２１）に接続された第２の端子を有し、前記第６のペア（ＬＰ２１、ＬＰ２２）の前記第６のコイル（ＬＰ２２）が、前記第２のＰＯＴＳ線路（ＰＯＴＳ２）の第２の導線に接続された第１の端子、および前記第２のペア（ＬＬ２１、ＬＬ２２）の第２のコイル（ＬＬ２２）の前記第１の端子（ＴＬ２２）に接続された第２の端子を有する、第５のコイル（ＬＰ２１）および第６のコイル（ＬＰ２２）の第６のペア（ＬＰ２１、ＬＰ２２）と
をさらに備えること
を特徴とする、請求項４に記載のＤＳＬファントムモード信号組み合わせデバイス。
【請求項８】
前記第３のＤＳＬポート（ＤＭ３）の第１の導線が、第５のコイル（ＬＭ１２）を介して前記第３のＤＳＬポートの第２の導線に結合されること、
前記第１の結合手段（ＣＰ３１）が、第６のコイル（ＬＭ２１）を介して前記第２の結合手段（ＣＰ３２）に結合されること、および
前記第５のコイル（ＬＭ１２）と前記第６のコイル（ＬＭ２１）が磁気的に結合されること
を特徴とする、請求項５に記載のＤＳＬファントムモード信号組み合わせデバイス。
【請求項９】
前記第１の結合手段（ＣＰ３１）が、前記第３のＤＳＬポート（ＤＭ３）の第１の導線、前記第１のペア（ＬＬ１１、ＬＬ１２）の第１のコイル（ＬＬ１１）の第２の端子、および前記第１のペア（ＬＬ１１、ＬＬ１２）の第２のコイル（ＬＬ１２）の第２の端子の間の接続点であること、および
前記第２の結合手段（ＣＰ３２）が、前記第３のＤＳＬポート（ＤＭ３）の第２の導線、前記第２のペア（ＬＬ２１、ＬＬ２２）の第１のコイル（ＬＬ２１）の第２の端子、および前記第２のペア（ＬＬ１１、ＬＬ１２）の第２のコイル（ＬＬ２２）の第２の端子の間の接続点であること
を特徴とする、請求項３に記載のＤＳＬファントムモード信号組み合わせデバイス。
【請求項１０】
前記第１の結合手段（ＣＰ３１）が、前記第３のＤＳＬポート（ＤＭ３）の第１の導線、前記第１のペア（ＬＬ１１、ＬＬ１２）の第１のコイル（ＬＬ１１）の第２の端子、および前記第１のペア（ＬＬ１１、ＬＬ１２）の第２のコイル（ＬＬ１２）の第２の端子の間の高周波数帯域通過結合であること、および
前記第２の結合手段（ＣＰ３２）が、前記第３のＤＳＬポート（ＤＭ３）の第２の導線、前記第２のペア（ＬＬ２１、ＬＬ２２）の第１のコイル（ＬＬ２１）の第２の端子、および前記第２のペア（ＬＬ１１、ＬＬ１２）の第２のコイル（ＬＬ２２）の第２の端子の間の高周波数帯域通過結合であること
を特徴とする、請求項３に記載のＤＳＬファントムモード信号組み合わせデバイス。
【請求項１１】
前記ファントム注入モジュール（ＰＢｏｘ）が、カスタマ構内設備ＣＰＥの近くに配置されること、および
前記第１のＤＳＬポート（ＤＭ１）、前記第２のＤＳＬポート（ＤＭ２）、および前記第３のＤＳＬポート（ＤＭ３）が、前記カスタマ構内設備ＣＰＥに接続されること
を特徴とする、請求項１に記載のＤＳＬファントムモード信号組み合わせデバイス。
【請求項１２】
複数のＤＳＬファントムモード信号組み合わせデバイスを収容するように構成されたファントム注入モジュール（ＰＢｏｘ）内に配置されることを特徴とする、請求項１に記載のＤＳＬファントムモード信号組み合わせデバイス。
【請求項１３】
前記第１のＤＳＬ伝送線路（Ｐ１）と前記第２のＤＳＬ伝送線路（Ｐ２）が、別個の長距離通信線路に接続されることを特徴とする、請求項１に記載のＤＳＬファントムモード信号組み合わせデバイス。
【請求項１４】
前記第１のＤＳＬ伝送線路（Ｐ１）上、および前記第２のＤＳＬ伝送線路（Ｐ２）上のＤＳＬ通信信号が、デジタル加入者線ＤＳＬ情報、および普通の従来の電話システムＰＯＴＳ情報を備える信号であること、
前記第１のＤＳＬポート（ＤＭ１）上、および前記第２のＤＳＬポート（ＤＭ２）上のＤＳＬ通信信号が、デジタル加入者線ＤＳＬ情報、および普通の従来の電話システムＰＯＴＳ情報を備える信号であること、および
前記第３のＤＳＬポート（ＤＭ３）上のＤＳＬ通信信号が、デジタル加入者線ＤＳＬ情報を備える信号であること
を特徴とする、請求項１に記載のＤＳＬファントムモード信号組み合わせデバイス。
【発明の詳細な説明】
【技術分野】
【０００１】
本発明は、第１のＤＳＬ線路、第２のＤＳＬ線路、および第３のＤＳＬ線路の上の第１のＤＳＬ通信信号を、第１のＤＳＬ伝送線路および第２のＤＳＬ伝送線路の上の第２のＤＳＬ通信信号に変換するように構成されたＤＳＬファントムモード信号組み合わせデバイスに関する。
【背景技術】
【０００２】
そのような組み合わせデバイスの目的は、既存の通信システムのＤＳＬ線路にＤＳＬファントムモード信号を追加する／注入することである。
【０００３】
ファントムモード結合を注入する最適の場所は、中央局ＣＯにおいてであり、さらに、より詳細には、線路終端ＬＴボードのレベルにおいてである。しかし、このことは、システムに挿入されなければならない新たな線路終端ＬＴボードの設計を暗示する。そのようなソリューションの知られている欠点は、ボード交換自体、システムの要求される中断、線路終端ＬＴボード上でさらなるボード面積が使用されることなどである。さらに、線路終端ＬＴボードとＭＤＦの間の既存のケーブル配線、パッチパネルなどが、ファントム信号に対して最適ではない。このことにより、ＩＴＵ標準、例えば、縦方向変換損、スプリッタに対するインピーダンス整合、ＥＭＣ規則に準拠しないことがもたらされ、さらに／またはＤＳＬパフォーマンス低下がもたらされる。一部の事例において、「不自由」ファントムモードは、従来の結合で利用可能であるのと等しいレート範囲をもたらしさえする。
【発明の概要】
【発明が解決しようとする課題】
【０００４】
本発明の目的は、良好なＤＳＬパフォーマンスを示すとともに、既に設置されているハードウェアを最大限に再利用しながら、設備およびケーブル配線の大幅な変更を伴わない、前述の知られているタイプのＤＳＬファントムモード信号組み合わせデバイスを提供することである。
【課題を解決するための手段】
【０００５】
本発明の或る特徴的な実施形態によれば、この目的は、前記ＤＳＬファントムモード信号組み合わせデバイスが、
前記第１のＤＳＬ線路および前記第１のＤＳＬ伝送線路が電気的に結合された直列結合された第１の受動構成要素および第２の受動構成要素の第１のペアと、
前記第２のＤＳＬ線路および前記第２のＤＳＬ伝送線路が電気的に結合された直列結合された第１の受動構成要素および第２の受動構成要素の第２のペアとを備えること、
前記第３のＤＳＬ線路が、前記第１のペアの第１の受動構成要素と第２の受動構成要素の間の第１の結合手段、および前記第２のペアの第１の受動構成要素と第２の受動構成要素の間の第２の結合手段に結合されること、および
前記ＤＳＬファントムモード信号組み合わせデバイスが、前記第１のＤＳＬ線路、前記第２のＤＳＬ線路、前記第３のＤＳＬ線路、前記第１のＤＳＬ伝送線路、および前記第２のＤＳＬ伝送線路にそれぞれが関連付けられた少なくとも５つの端子を備えたファントム注入モジュール内に配置されることによって実現される。
【０００６】
このようにして、遠隔ファントム注入を実行するための簡単な回路がもたらされる。ＤＳＬファントムモード信号組み合わせデバイスは、別個のファントム注入モジュール内に配置されるので、ＤＳＬファントムモード信号は、既存の通信設備の変更なしに、ほとんどいずれの場所においてもＤＳＬ線路に追加／注入されることが可能である。
【０００７】
適切に設計された場合、このＤＳＬファントムモード信号組み合わせデバイスは、受動構成要素および結合手段を有して、要求される規格に完全に準拠するとともに、設備のレート範囲パフォーマンスに小さな影響しか及ぼさない。
【０００８】
本発明の別の特徴的な実施形態は、前記ファントム注入モジュールが、通信交換機の線路終端ＬＴボードから遠隔に配置されること、および前記第１のＤＳＬ線路、前記第２のＤＳＬ線路、および前記第３のＤＳＬ線路が、前記線路終端ＬＴボードの別々のポートに接続されることである。
【０００９】
このようにして、ＤＳＬファントムモード信号組み合わせデバイスは、例えば、新たな線路終端ＬＴボードを設計することなしに、既存の設備上でファントムモードを実施することを可能にする。
【００１０】
また、本発明の別の特徴的な実施形態は、前記ファントム注入モジュールが、通信交換機の主配線盤ＭＤＦに関連付けられること、および前記第１のＤＳＬ線路、前記第２のＤＳＬ線路、前記第３のＤＳＬ線路、前記第１のＤＳＬ伝送線路、および前記第２のＤＳＬ伝送線路が、前記主配線盤ＭＤＦの端子に接続されることである。
【００１１】
このことは、主配線盤ＭＤＦから遠隔で、ただし、主配線盤ＭＤＦの近くでファントム注入モジュールを実施すること、または主配線盤ＭＤＦ内でさえファントム注入モジュールを実施し、さらに主配線盤ＭＤＦ内で柔軟に結合を実行することを可能にする。その結果、現行のＭＤＦケーブル配線およびＭＤＦ設備が再利用されることが可能でありながら、主配線盤ＭＤＦのフィーチャが拡張され、ＥＭＣおよびＤＳＬのパフォーマンス問題が回避される。
【００１２】
より詳細には、本発明の或る実施形態は、前記第１のペアの第１の直列結合された受動構成要素および第２の直列結合された受動構成要素が、磁気的に結合されたコイルであり、
前記第１のペアの第１のコイルの第１の端子が、前記第１のＤＳＬ伝送線路の第１の導線に接続され、
前記第１のペアの第２のコイルの第１の端子が、前記第１のＤＳＬ伝送線路の第２の導線に接続され、さらに
前記第１の結合手段が、前記第３のＤＳＬ線路の第１の導線、前記第１のペアの第１のコイルの第２の端子、および前記第１のペアの第２のコイルの第２の端子に接続されること、および
前記第２のペアの第１の直列結合された受動構成要素および第２の直列結合された受動構成要素が、磁気的に結合されたコイルであり、
前記第２のペアの第１のコイルの第１の端子が、前記第２のＤＳＬ伝送線路の第１の導線に接続され、
前記第２のペアの第２のコイルの第１の端子が、前記第２のＤＳＬ伝送線路の第２の導線に接続され、さらに
前記第２の結合手段が、前記第３のＤＳＬ線路の第２の導線、前記第２のペアの第１のコイルの第２の端子、および前記第２のペアの第２のコイルの第２の端子に接続されることを特徴とする。
【００１３】
１つの特定の実施形態において、このＤＳＬファントムモード信号組み合わせデバイスは、
第３のペアの第３のコイルの第１の端子が、前記第１のＤＳＬ線路の第１の導線に接続され、さらに前記第３のペアの第４のコイルの第１の端子が、前記第１のＤＳＬ線路の第２の導線に接続され、前記第３のペアの第３のコイルの第２の端子が、第３の結合手段を介して前記第３のペアの第４のコイルの第２の端子に電気的に結合された、磁気的に結合された直列結合された第３のコイルおよび第４のコイルの前記第３のペアと、
第４のペアの第３のコイルの第１の端子が、前記第２のＤＳＬ線路の第１の導線に接続され、さらに前記第４のペアの第４のコイルの第１の端子が、前記第２のＤＳＬ線路の第２の導線に接続され、前記第４のペアの第３のコイルの第２の端子が、第４の結合手段を介して前記第４のペアの第４のコイルの第２の端子に電気的に結合された、磁気的に結合された直列結合された第３のコイルおよび第４のコイルの前記第４のペアとをさらに備え、
前記第３のペアの第３のコイルおよび第４のコイルは、前記第１のペアの第１のコイルおよび第２のコイルに磁気的に結合され、さらに前記第４のペアの第３のコイルおよび第４のコイルは、前記第２のペアの第１のコイルおよび第２のコイルに磁気的に結合される。
【００１４】
この設計により、既存の通信システム、つまり、設置された基礎が再利用され、さらにこのＤＳＬファントムモード信号組み合わせデバイスは、設置された基礎の非常に柔軟性のある、容易な拡張を可能にする。
【００１５】
この実施形態は、以降、「シリアルファントム注入デバイス」と呼ばれる。
【００１６】
シリアルファントム注入デバイスは、前述した目的（設備再利用、ＩＴＵ準拠およびＥＭＣ準拠、良好なＤＳＬパフォーマンスなど）を実現する。第１のＤＳＬ線路と第１のＤＳＬ伝送線路の間の結合は、磁気結合型のデバイスによって行われ、さらに第２のＤＳＬ線路と第２のＤＳＬ伝送線路の間の結合もまた、磁気結合型のデバイスによって行われる。
【００１７】
しかし、この実施形態は、１つの欠点を有する。ＤＳＬ信号と伝送線路の間の結合は、磁気デバイスを用いて行われるので、狭帯域ＰＯＴＳ信号の注入は、利用可能な場合、伝送線路側で行われなければならない。このことが、ＤＳＬファントムモード信号組み合わせデバイスとＰＯＴＳ交換機の間の追加のケーブル配線につながり得る。
【００１８】
別の特定の実施形態において、このＤＳＬファントムモード信号組み合わせデバイスは、前記第１のペアの第１のコイルの第１の端子が、前記第１のＤＳＬ線路の第１の導線に電気的に結合され、さらに前記第１のペアの第２のコイルの第１の端子が、前記第１のＤＳＬ線路の第２の導線に電気的に結合されること、および前記第２のペアの第１のコイルの第１の端子が、前記第２のＤＳＬ線路の第１の導線に電気的に結合され、さらに前記第２のペアの第２のコイルの第１の端子が、前記第２のＤＳＬ線路の第２の導線に電気的に結合されることを特徴とする。
【００１９】
この別の実施形態は、以降、「パラレルファントム注入デバイス」と呼ばれる。
【００２０】
第１のＤＳＬ線路は、第１のＤＳＬ伝送線路に電気的に結合され、さらに第２のＤＳＬ線路は、第２のＤＳＬ伝送線路に電気的に結合される。この事例において、狭帯域ＰＯＴＳ信号の注入は、伝送線路またはＤＳＬ線路における任意の場所で行われることが可能である。したがって、このことは、例えば、既存のＰＯＴＳスプリッタが線路終端ＬＴボードの近くに既に配置されている場合に、線路終端ＬＴボードの近くでＰＯＴＳ信号を注入することを可能にする。
【００２１】
しかし、このパラレルファントム注入は、ＤＳＬファントムモード信号組み合わせデバイスが線路終端ＬＴボードから相当に長距離に位置している場合、１つの欠点を有する。一般に、第１のＤＳＬ線路および第２のＤＳＬ線路に存在する線路終端ＬＴボードにコモンモード終端は存在しないので、ＤＳＬファントムモード信号組み合わせデバイスと線路終端ＬＴボードの間のケーブル配線が、ファントム信号に影響を及ぼすＳＴＵＢまたはブリッジドタブを生じさせる。しかし、この欠点は、さらに説明されるとおり、コモンモードローパスフィルタを追加で入れることによって解決されることが可能である。
【００２２】
このパラレルファントム注入デバイスの好ましい特徴的な実施形態において、前記第１のペアの第１のコイルの第１の端子は、第１のフィルタコイルを介して前記第１のＤＳＬ線路の第１の導線に電気的に結合され、さらに前記第１のペアの第２のコイルの第１の端子は、第２のフィルタコイルを介して前記第１のＤＳＬ線路の第２の導線に電気的に結合され、前記第１のフィルタコイルと前記第２のフィルタコイルが、磁気的に結合される一方で、前記第２のペアの第１のコイルの第１の端子は、第３のフィルタコイルを介して前記第２のＤＳＬ線路の第１の導線に電気的に結合され、さらに前記第２のペアの第２のコイルの第１の端子は、第４のフィルタコイルを介して前記第２のＤＳＬ線路の第２の導線に電気的に結合され、前記第３のフィルタコイルと前記第４のフィルタコイルが、磁気的に結合される。
【００２３】
このコモンモードローパスフィルタを追加することによって、ＳＴＵＢもブリッジドタブも生じない。
【００２４】
さらに、フィルタコイルは、適切に設計された場合、前述したすべての実施例に関して、ＰＯＴＳボードに向かう差動ペアに関して高いコモンモードインピーダンスのパスをもたらす。
【００２５】
別の特徴的な実施形態において、このシリアルファントム注入デバイスは、第５のペアの第５のコイルが、第１のＰＯＴＳ線路の第１の導線に接続された第１の端子、および前記第１のペアの第１のコイルの前記第１の端子に接続された第２の端子を有し、さらに前記第５のペアの第６のコイルが、第１のＰＯＴＳ線路の第２の導線に接続された第１の端子、および前記第１のペアの第２のコイルの前記第１の端子に接続された第２の端子を有する、磁気的に結合された前記第５のコイルおよび前記第６のコイルの前記第５のペアと、第６のペアの第５のコイルが、第２のＰＯＴＳ線路の第１の導線に接続された第１の端子、および前記第２のペアの第１のコイルの前記第１の端子に接続された第２の端子を有し、さらに前記第６のペアの第６のコイルが、第２のＰＯＴＳ線路の第２の導線に接続された第１の端子、および前記第２のペアの第２のコイルの前記第１の端子に接続された第２の端子を有する、磁気的に結合された第５のコイルおよび第６のコイルの前記第６のペアとをさらに備える。
【００２６】
これらの第５のペアのコイルおよび第６のペアのコイルのため、シリアル注入モジュールの場合にも、パラレル注入モジュールの場合と同様に、ＰＯＴＳボードに向かう差動ペアに関して高いコモンモードインピーダンスのパスが実現される。
【００２７】
このパラレルファントム注入デバイスの別の特徴的な実施形態において、前記第３のＤＳＬ線路の第１の導線が、第５のコイルを介して前記第３のＤＳＬ線路の第２の導線に結合され、前記第１の結合手段が、第６のコイルを介して前記第２の結合手段に結合され、さらに前記第５のコイルと前記第６のコイルが磁気的に結合される。
【００２８】
最良の伝送パフォーマンスを得るために、ＤＳＬ信号のアナログフロントエンドは、接続された伝送線路の特性インピーダンスに近いインピーダンスを有さなければならない。本発明は、既存の伝送設備を利用するので、このことは、第１の伝送線路に接続された第１のＤＳＬ線路、および第２の伝送線路に接続された第２のＤＳＬ線路に関してしか達せられない。第３のＤＳＬ線路の信号は、第１の伝送線路と第２の伝送線路によって一緒に形成されるファントムペアに転送され、さらに、この場合、使用されるケーブルと関係する異なる特性インピーダンスに遭遇する。
【００２９】
ファントムペアのパフォーマンスを向上させるのに、インピーダンス変換が必要である。追加の変成器が、既存のアナログフロントエンドインピーダンスを正しいファントムモードインピーダンスに変換する。この変成器に対する結合は、ＤＣであることも、ＡＣであることも可能であり、したがって、ハイパスフィルタを含むことも、含まないことも可能である。
【００３０】
この場合、パラレル注入モジュールに関して説明するものの、このインピーダンス変換は、シリアル注入モジュールに関しても同様に行われることが可能である。
【００３１】
前段の説明は、中央局ＣＯからカスタマ構内設備ＣＰＥに向かって流れる下流ＤＳ信号に関しても、逆方向に流れる上流ＵＳ信号に関しても有効であることに留意されたい。このＤＳＬファントムモード信号組み合わせデバイスは、両方の信号方向で動作する。
【００３２】
本発明のさらに別の特徴的な実施形態は、前記ファントム注入モジュールが、カスタマ構内設備ＣＰＥの近くに配置されること、ならびに前記第１のＤＳＬ線路、前記第２のＤＳＬ線路、および前記第３のＤＳＬ線路が、前記カスタマ構内設備ＣＰＥに接続されることである。
【００３３】
ＤＳＬファントムモード信号組み合わせデバイス、およびこのデバイスを収容するファントム注入モジュールは、第１のＤＳＬ線路、第２のＤＳＬ線路、および第３のＤＳＬ線路を介してこのモジュールが結合された中央局ＣＯのアレイにおいて動作するように設計されるだけでなく、通信線路の他方の終端で、すなわち、カスタマ構内設備ＣＰＥのアレイにおいて動作するために設計されることも可能である。
【００３４】
本発明の別の特徴的な実施形態は、前記デバイスが、複数のＤＳＬファントムモード信号組み合わせデバイスを収容するように構成されたファントム注入モジュール内に配置されることである。
【００３５】
この拡張のため、ＤＳＬ線路にＤＳＬファントムモード信号を注入することが、グループのファントムサブスクライバに関して１つずつ行われることが可能である。
【００３６】
このＤＳＬファントムモード信号組み合わせデバイスのさらなる特徴的な実施形態が、添付の特許請求の範囲に記載される。
【００３７】
特許請求の範囲において使用される「備える」または「含む」という用語は、この用語の後にリストアップされる手段に限定されるものと解釈されるべきではないことに留意されたい。このため、「手段Ａと手段Ｂとを備えるデバイス」などの表現の範囲は、手段Ａおよび手段Ｂだけから成るデバイスの実施形態に限定されるべきではない。そのような表現は、本発明の実施形態に関して、ＡおよびＢが、そのデバイスの不可欠な手段であることを意味する。
【００３８】
同様に、特許請求の範囲でやはり使用される「結合された」という用語は、直接の接続だけに限定されるものと解釈されるべきではないことにも留意されたい。このため、「デバイスＢに結合されたデバイスＡ」などの表現の範囲は、デバイスＡの出力がデバイスＢの入力に直接に接続されるデバイスの実施形態に限定されるべきではない。そのような表現は、Ａの出力とＢの入力の間に或るパスが存在し得ることを意味し、このパスは、他のデバイスまたは手段を含み得る。
【００３９】
本発明の以上、およびその他の目的は、添付の図面と併せて解釈される実施形態の後段の説明を参照することによって、より明白となるとともに、本発明自体が最もよく理解されよう。
【図面の簡単な説明】
【００４０】
【図１】本発明によるＤＳＬファントムモード信号組み合わせデバイスのパラレル実施形態を示す図である。
【図２】本発明によるＤＳＬファントムモード信号組み合わせデバイスのシリアル実施形態を示す図である。
【図３】図１のＤＳＬファントムモード信号組み合わせデバイスの第１の改良されたバージョンを示す図である。
【図４】図１のＤＳＬファントムモード信号組み合わせデバイスの第２の改良されたバージョンを示す図である。
【図５】図２のＤＳＬファントムモード信号組み合わせデバイスの改良されたバージョンを示す図である。
【発明を実施するための形態】
【００４１】
デジタル加入者線ＤＳＬ通信システムにおいて、ＤＳＬファントムモードは、２つ（またはそれより多く）の加入者線ペアの間でコモンモード信号を追加すること／注入すること／結合することから成る。このＤＳＬファントムモード信号組み合わせデバイスは、この機能を実現するように設計される。
【００４２】
さらに、ＤＳＬファントムモード信号組み合わせデバイスは、ファントム注入モジュールＰＢｏｘ内に配置され、このことが、結合を遠隔で、例えば、線路終端ＬＴボードからより遠い距離で実行することを可能にする。このため、結合は、ドータボード上で、または、例えば、線路終端ＬＴボードの隣の、またはさらに離れて、近くの棚、ラック、もしくはシステムに配置された別のボード上で実行されることが可能であるが、ＤＳＬファントムモード信号組み合わせデバイスもまた、任意の場所に遠隔で、例えば、主配線盤ＭＤＦの近くに、または主配線盤ＭＤＦ内にさえ配置されることが可能である。ファントム注入モジュールＰＢｏｘは、そのようなＤＳＬファントムモード信号組み合わせデバイスのうちの１つまたは複数を収容することでき、さらに、例えば、ボックス内に配置されることが可能である。
【００４３】
ＤＳＬファントムモード信号組み合わせデバイスの実装は、中央局内だけでなく、カスタマ構内設備ＣＰＥ内で行われることも可能である。
【００４４】
いずれの条件においても、ＤＳＬファントムモード信号組み合わせデバイスの実装は、既に設置されているハードウェア、例えば、既存の線路終端ＬＴボード、ＰＯＴＳ／スプリッタボード、およびケーブル配線を最大限に再利用して実行される。
【００４５】
より詳細には、ＤＳＬファントムモード信号組み合わせデバイスは、少なくとも５つの端子を備えたファントム注入モジュールＰＢｏｘ内に配置され、これらの端子のうちの３つが、第１のＤＳＬ線路ＤＭ１、第２のＤＳＬ線路ＤＭ２、および第３のＤＳＬ線路ＤＭ３に関連付けられる。その他の２つの端子は、第１のＤＳＬ伝送線路Ｐ１、および第２のＤＳＬ伝送線路Ｐ２に関連付けられる。これらの図において、端子には、端子に関連付けられた線路の名前が付けられていることに留意されたい。
【００４６】
「パラレルファントム注入」と呼ばれるＤＳＬファントムモード信号組み合わせデバイスの第１の実施例が、図１に示される。図１で、ＤＳＬファントム回路は、サブスクライバペア、すなわち、第１のＤＳＬ伝送線路Ｐ１とＰ２における導線の間で並列に置かれる。
【００４７】
パラレル注入モジュールの場合、ＤＳＬ線路ＤＭ１およびＤＭ２に関連付けられた端子は、デジタル加入者線ＤＳＬ情報と、普通の従来の電話システムＰＯＴＳ情報とを備える通信信号を受信するように構成されるのに対して、シリアル注入モジュールの場合、ＰＯＴＳ情報は、ＤＳＬ伝送線Ｐ１およびＰ２において注入されなければならない。
【００４８】
シリアル注入モジュールの事例において、ＰＯＴＳローパスコモンモードフィルタが要求される場合、図５を参照して後段で説明されるとおり、第６の端子、および第７の端子が追加される必要があることに留意されたい。
【００４９】
第３のＤＳＬ線路ＤＭ３に関連付けられた端子は、デジタル加入者線ＤＳＬ情報だけしか備えない通信信号を受信するように構成される。これら３つのＤＳＬ通信信号は、ＤＳＬファントムモード信号組み合わせデバイスによって、ＤＳＬ伝送線路Ｐ１およびＰ２に関連付けられた端子において現れる他のＤＳＬ通信信号に変換される。
【００５０】
また、前段の説明は、中央局ＣＯからカスタマ構内設備ＣＰＥに向かって流れる下流ＤＳ信号に関しても、逆方向に流れる上流ＵＳ信号に関しても有効であることに留意されたい。ＤＳＬファントムモード信号組み合わせデバイスは、両方の信号方向で動作する。
【００５１】
ファントム注入モジュールＰＢｏｘが、通信交換機の線路終端ＬＴボードから遠隔に配置される場合、ＤＳＬ線路ＤＭ１およびＤＭ２、ならびに第３のＤＳＬ線路ＤＭ３は、線路終端ＬＴボードの別々のポートに接続される。その場合、ＤＳＬ伝送線Ｐ１とＰ２は、別個の長距離通信線路に接続される。
【００５２】
ファントム注入モジュールＰＢｏｘが、通信交換機の主配線盤ＭＤＦから遠隔に配置される場合、ＤＳＬ線路ＤＭ１およびＤＭ２、第３のＤＳＬ線路ＤＭ３、ならびにＤＳＬ伝送線路Ｐ１およびＰ２は、主配線盤ＭＤＦの端子に接続される。
【００５３】
ファントム注入モジュールＰＢｏｘは、いくつかのＤＳＬファントムモード信号組み合わせデバイスを収容するために設計されてもよいことに留意されたい。その場合、ファントム注入モジュールＰＢｏｘは、いくつかのグループの端子を備える。
【００５４】
ファントム注入モジュールＰＢｏｘがカスタマ構内設備ＣＰＥの近くに配置される場合、ＤＳＬ伝送線路Ｐ１およびＰ２は、長距離通信線路の他方の終端に接続され、さらにＤＳＬ線路ＤＭ１およびＤＭ２、ならびに第３のＤＳＬ線路ＤＭ３は、３つともすべて、カスタマ構内設備ＣＰＥに接続される。
【００５５】
ＤＳＬファントムモード信号組み合わせデバイスは、ＤＳＬ伝送線路Ｐ１の２つの導線が両端に接続された、第１のペアの直列に磁気結合されたコイルＬＬ１１およびＬＬ１２を備える。第１のコイルＬＬ１１のアップ端子ＴＬ１１が、ＤＳＬ伝送線路Ｐ１の第１の導線に接続される一方で、第２のコイルＬＬ１２のダウン端子ＴＬ１２が、ＤＳＬ伝送線路Ｐ１の第２の導線に接続される。第１のコイルＬＬ１１のダウン端子は、結合デバイスＣＰ３１を介して第２のコイルＬＬ１２のアップ端子に結合される。
【００５６】
ＤＳＬファントムモード信号組み合わせデバイスは、ＤＳＬ伝送線路Ｐ２の２つの導線が両端に接続された、第２のペアの直列の磁気結合されたコイルＬＬ２１およびＬＬ２２をさらに備える。この第２のペアの第１のコイルＬＬ２１のアップ端子ＴＬ２１が、ＤＳＬ伝送線路Ｐ２の第１の導線に接続される一方で、この第２のペアの第２のコイルＬＬ２２のダウン端子ＴＬ２２が、ＤＳＬ伝送線路Ｐ２の第２の導線に接続される。第１のコイルＬＬ２１のダウン端子は、結合デバイスＣＰ３２を介して第２のコイルＬＬ２２のアップ端子に結合される。
【００５７】
２つの導線の第３のＤＳＬ線路ＤＭ３は、前述した第１の結合デバイスＣＰ３１に結合された第１の導線を有し、さらに第２の結合デバイスＣＰ３２に結合された第２の導線を有する。
【００５８】
図１のパラレルファントム注入において、ＤＳＬ線路ＤＭ１の２つの導線は、第１のペアの直列に磁気的に結合されたコイルＬＬ１１およびＬＬ１２の両端に接続される一方で、ＤＳＬ線路ＤＭ２の２つの導線は、第２のペアの直列に磁気的に結合されたコイルＬＬ２１およびＬＬ２２の両端に接続される。
【００５９】
第１のコイルＬＬ１１のアップ端子ＴＬ１１が、ＤＳＬ伝送線路Ｐ１の第１の導線、およびＤＳＬ線路ＤＭ１の第１の導線に接続される一方で、第２のコイルＬＬ１２のダウン端子ＴＬ１２が、ＤＳＬ伝送線路Ｐ１の第２の導線、およびＤＳＬ線路ＤＭ１の第２の導線に接続される。同様に、第１のコイルＬＬ２１のアップ端子ＴＬ２１が、ＤＳＬ伝送線路Ｐ２の第１の導線、およびＤＳＬ線路ＤＭ２の第１の導線に接続される一方で、第２のコイルＬＬ２２のダウン端子ＴＬ２２が、ＤＳＬ伝送線路Ｐ２の第２の導線、およびＤＳＬ線路ＤＭ２の第２の導線に接続される。
【００６０】
「シリアルファントム注入」と呼ばれるＤＳＬファントムモード信号組み合わせデバイスの第２の実施例が、図２に示される。図２で、差動動作モードの場合に各ペアにおいて直列割り込みが行われ、さらにＤＳＬファントム信号がサブスクライバ側で同時に注入される。
【００６１】
シリアルファントム注入において、ＤＳＬ線路ＤＭ１およびＤＭ２の導線はもはや、コイルＬＬ１１、ＬＬ１２の両端、およびコイルＬＬ２１、ＬＬ２２の両端にそれぞれ直接に接続されることはなく、後段で説明されるとおり、これらのコイルに磁気的に結合される。
【００６２】
この目的で、シリアルＤＳＬファントムモード信号組み合わせデバイスは、ＤＳＬ線路ＤＭ１の２つの導線が両端に接続された、第３のペアの直列に磁気的に結合されたコイルＬＴ１１およびＬＴ１２をさらに備える。この第３のペアの第１のコイルＬＴ１１のアップ端子ＴＴ１１が、ＤＳＬ線路ＤＭ１の第１の導線に接続される一方で、この第３のペアの第２のコイルＬＴ１２のダウン端子ＴＴ１２が、ＤＳＬ線路ＤＭ１の第２の導線に接続される。第１のコイルＬＴ１１のダウン端子は、結合デバイスＣＴ３１を介して第２のコイルＬＴ１２のアップ端子に結合される。
【００６３】
シリアルファントム注入デバイスは、ＤＳＬ線路ＤＭ２の２つの導線が両端に接続された、第４のペアの直列に磁気的に結合されたコイルＬＴ２１およびＬＴ２２をさらに備える。この第４のペアの第１のコイルＬＴ２１のアップ端子ＴＴ２１が、ＤＳＬ線路ＤＭ２の第１の導線に接続される一方で、この第４のペアの第２のコイルＬＴ２２のダウン端子ＴＴ２２が、ＤＳＬ線路ＤＭ２の第２の導線に接続される。第１のコイルＬＴ２１のダウン端子は、結合デバイスＣＴ３２を介して第２のコイルＬＴ２２のアップ端子に結合される。
【００６４】
図にキャパシタとともに示される結合デバイスは、ＡＣ結合またはハイパスフィルタリングを可能にする。これらの結合デバイスは、存在することも、省かれることも可能であり、さらにこれらの結合デバイスは、対称に実現されることも、非対称に実現されることも可能である。このＡＣ結合は、もちろん、結合デバイスに接続されたコイルによって形成される関連する変成器のセンタタップにおいてではなく、これらのコイルの外部端子、例えば、ＴＬ１１およびＴＬ１２において行われることも可能である。
【００６５】
ＤＳＬファントムモード信号組み合わせデバイスの或る実施形態において、結合デバイスＣＰ３１、ＣＰ３２、ＣＴ３１、およびＣＴ３２はすべて、それぞれ、第１のコイルＬＬ１１、ＬＬ２１、ＬＴ１１、およびＬＴ２１のダウン端子と第２のコイルＬＬ１２、ＬＬ２２、ＬＴ１２、およびＬＴ２２のアップ端子の間の接続点に過ぎない。その場合、第３のＤＳＬ線路ＤＭ３の第１の導線が、接続点ＣＰ３１に接続される一方で、第３のＤＳＬ線路ＤＭ３の第２の導線が、接続点ＣＰ３２に接続される。
【００６６】
或る好ましい実施形態において、結合デバイスＣＰ３１、ＣＰ３２、ＣＴ３１、およびＣＴ３２のいずれかが、それぞれ、第１のコイルＬＬ１１、ＬＬ２１、ＬＴ１１、およびＬＴ２１のダウン端子と第２のコイルＬＬ１２、ＬＬ２２、ＬＴ１２、およびＬＴ２２のアップ端子の間の高周波数ＨＦフィルタ結合であることが可能である。
【００６７】
その場合、第３のＤＳＬ線路ＤＭ３の第１の導線が、高周波数ＨＦフィルタ結合ＣＰ３１に接続される一方で、第３のＤＳＬ線路ＤＭ３の第２の導線が、高周波数ＨＦフィルタ結合ＣＰ３２に接続される。
【００６８】
シリアルファントム注入の欠点は、ＰＯＴＳ信号が、ファントム注入モジュールＰＢｏｘのサブスクライバ側、すなわち、ＤＳＬ伝送線路Ｐ１およびＰ２の上でしか追加され得ないことである。したがって、ＰＢｏｘロケーションにおいてＰＯＴＳが利用可能ではない場合、再配線が要求される。パラレルファントム注入では、ＰＯＴＳ信号は、ファントム注入モジュールＰＢｏｘの前、または後で、すなわち、ＤＳＬ線路ＤＭ１およびＤＭ２の上で、またはＤＳＬ伝送線路Ｐ１およびＰ２の上で追加されることが可能である。
【００６９】
パラレルファントム注入の欠点は、ファントム注入モジュールＰＢｏｘと線路終端ＬＴボードの間の距離であり得る。長い距離は、上流ＵＳおよび下流ＤＳにおけるＤＳＬファントムモード信号組み合わせデバイスのパフォーマンスに影響を及ぼす、パラレルファントム注入に関するＳＴＵＢまたはブリッジドタップを生じさせる可能性がある。
【００７０】
パラレルファントム注入にコモンモードコイルまたはコモンモードローパスフィルタを追加することが、この問題の可能性を解決する。
【００７１】
シリアルファントム注入の場合、ＳＴＵＢもブリッジドタップも生じない。
【００７２】
パラレルファントム注入およびシリアルファントム注入の別の起こりうる欠点が、特にＤＳＬ周波数帯域に関して、中央局ＣＯにおいてＰＯＴＳボードに向かう差動ペアに関して高いコモンモードインピーダンスパスを有することが要求されることである。
【００７３】
すべてのスプリッタがこの要件を遵守するわけではないが、この問題の可能性は、ローパスコモンモードフィルタ（例えば、コモンモードコイル）を追加することによって、中央局ＣＯにおけるスプリッタにおいて解決されることが可能である。
【００７４】
しかし、より良いソリューションは、ＤＳＬファントムモード信号組み合わせデバイスのファントム注入回路と一緒に、ファントム注入モジュールＰＢｏｘ内にコモンモードフィルタコイルを追加することである。このようにして、中央局ＣＯのスプリッタおよびボイスカードもまた、そのままであることが可能であり、交換されることが要求されない。他方、ＤＳＬファントムモード信号組み合わせデバイスのパフォーマンスが大幅に改善する。
【００７５】
この改善の或る実施形態が、図１に示されるパラレルファントム注入に関連して図３に示される。第１のペアの第１のコイルＬＬ１１のアップ端子ＴＬ１１が、第１のフィルタコイルＬＦ１１を介してＤＳＬ線路ＤＭ１の第１の導線に電気的に結合され、さらに第１のペアの第２のコイルＬＬ１２のダウン端子ＴＬ１２が、第２のフィルタコイルＬＦ１２を介してＤＳＬ線路ＤＭ１の第２の導線に電気的に結合される。第１のフィルタコイルＬＦ１１と第２のフィルタコイルＬＦ１２は、磁気的に結合され、さらに第１のフィルタコイルＬＦ１１と第２のフィルタコイルＬＦ１２はともに、アップ端子がＤＳＬ線路ＤＭ１に接続される。同様に、第２のペアの第１のコイルＬＬ２１のアップ端子ＴＬ２１が、第３のフィルタコイルＬＦ２１を介してＤＳＬ線路ＤＭ２の第１の導線に電気的に結合され、さらに第２のペアの第２のコイルＬＬ２２のダウン端子ＴＬ２２が、第４のフィルタコイルＬＦ２２を介してＤＳＬ線路ＤＭ２の第２の導線に電気的に結合される。第３のフィルタコイルＬＦ２１と第４のフィルタコイルＬＦ２２は、磁気的に結合され、さらに第３のフィルタコイルＬＦ２１と第４のフィルタコイルＬＦ２２はともに、アップ端子がＤＳＬ線路ＤＭ２に接続される。
【００７６】
ファントム線路ＤＭ３の、その他のＤＳＬ線路ＤＭ１およびＤＭ２に対するインピーダンスに関する起こりうる差を解決するために、図１または図３のパラレルファントム注入に以下の改良が加えられることが可能である。
【００７７】
図４に示されるとおり、磁気的に結合された２つのコイルＬＭ１２およびＬＭ２１がＤＳＬ線路ＤＭ３において追加される。より詳細には、コイルＬＭ１２が、ＤＳＬ線路ＤＭ３の第１の導線と第２の導線の間に結合される一方で、コイルＬＭ１２に磁気的に結合された第２のコイルＬＭ２１が、結合デバイスＣＰ３１と結合デバイスＣＰ３２の間に結合される。
【００７８】
ＬＭ１２およびＬＭ２１を介したこの磁気的な結合のため、ＤＳＬ線路ＤＭ３は、ＤＳＬ線路ＤＭ１およびＤＭ２とは異なるインピーダンスを、これらの線路上のＤＳＬ信号の伝送を妨げることなしに示すことが可能である。
【００７９】
ＤＳＬ信号のアナログフロントエンドが、接続された伝送線路の特性インピーダンスに近いインピーダンスを有する場合に、最良の伝送パフォーマンスが実現される。本発明は、既存の伝送設備を利用するので、このことは、第１の伝送線路Ｐ１に接続されたＤＳＬ線路ＤＭ１、および第２の伝送線路Ｐ２に接続されたＤＳＬ線路ＤＭ２に関してしか実現されない。第３のＤＳＬ線路ＤＭ３の信号は、第１の伝送線路Ｐ１と第２の伝送線路Ｐ２によって一緒に形成されるファントムペアに転送され、さらに、この場合、使用されるケーブルと関係する異なる特性インピーダンスに遭遇する。
【００８０】
このファントムペアのパフォーマンスを向上させるのに、インピーダンス変換が必要である。この目的で、追加の変成器が、既存のアナログフロントエンドインピーダンスを正しいファントムモードインピーダンスに変換する。この変成器に対する結合は、ＤＣであることも、ＡＣであることも可能であり、したがって、ハイパスフィルタを含むことも、含まないことも可能である。
【００８１】
パラレルファントム注入において適用される前述のローパスフィルタＬＦ１１／ＬＦ１２、ＬＦ２１／ＬＦ２２は、ＳＴＵＢと、ボイスカードに向かうコモンモードインピーダンスの両方の問題を解決しさえする。
【００８２】
シリアルファントム注入の場合、普通の従来の電話ＰＯＴＳ信号が、図２の改良形態を表す図５に示されるとおり、ＰＯＴＳ線路ＰＯＴＳ１およびＰＯＴＳ２をＤＳＬ伝送線路Ｐ１およびＰ２にそれぞれ結合するＰＯＴＳ端子に接続されたペアのコイルＬＰ１１、ＬＰ１２、およびＬＰ２１、ＬＰ２２を介してＤＳＬ伝送線路Ｐ１およびＰ２に注入されることが可能である。
【００８３】
より詳細には、コイルＬＰ１１が、第１のＰＯＴＳ線路ＰＯＴＳ１の第１の導線に接続された第１の端子と、コイルＬＬ１１の第１の端子ＴＬ１１に接続された第２の端子とを有し、さらに、コイルＬＰ１１に磁気的に結合された別のコイルＬＰ１２が、第１のＰＯＴＳ線路ＰＯＴＳ１の第２の導線に接続された第１の端子と、コイルＬＬ１２の第１の端子ＴＬ１２に接続された第２の端子とを有する。同様に、コイルＬＰ２１が、第２のＰＯＴＳ線路ＰＯＴＳ２の第１の導線に接続された第１の端子と、コイルＬＬ２１の第１の端子ＴＬ２１に接続された第２の端子とを有し、さらに、コイルＬＰ２１に磁気的に結合された別のコイルＬＰ２２が、第２のＰＯＴＳ線路ＰＯＴＳ２の第２の導線に接続された第１の端子と、コイルＬＬ２２の第１の端子ＴＬ２２に接続された第２の端子とを有する。
【００８４】
これらのペアのコイルＬＰ１１、ＬＰ１２、およびＬＰ２１、ＬＰ２２のため、ＰＯＴＳ線路ＰＯＴＳ１およびＰＯＴＳは、それぞれ、ＤＳＬ伝送線路Ｐ１およびＰ２に、これらの線路上で伝送されるＤＳＬ信号を妨げることなしに結合されることが可能である。
【００８５】
このローパスコモンモードフィルタを用いて、ＰＯＴＳ信号は、少なくともＤＳＬ帯域内で、高いインピーダンス条件で、したがって、ＤＳＬ信号を妨げずに、伝送線路Ｐ１およびＰ２に結合されることが可能である。
【００８６】
最後の注記として、本発明の実施形態は、機能ブロックの観点から以上に説明される。前段で与えられるこれらのブロックの機能上の説明から、電子デバイスを設計する分野の業者には、これらのブロックの実施形態が、よく知られた電子構成要素を用いてどのように製造することができるかは、明白であろう。このため、これらの機能ブロックの内容の詳細なアーキテクチャは、与えられていない。
【００８７】
本発明の原理は、特定の装置に関連して前段で説明されてきたが、この説明は、単に例として行われているに過ぎず、添付の特許請求の範囲において規定される本発明の範囲を限定するものではないことを明確に理解されたい。
【図１】
0005670599.tif 000002
【図２】
0005670599.tif 000003
【図３】
0005670599.tif 000004
【図４】
0005670599.tif 000005
【図５】
0005670599.tif 000006